(57)【要約】【課題】水量の調整を可能とする散水具の水量調整機構を提供する。【解決手段】通流路６３を形成するシリンダ３１と、シリンダ３１内に移動自在に設けられたピストン６１と、ピストン６１に設けられたシール部材９４を備え、シール部材９４を境とした後方側と前方側とをシール部材９４によってシールする。シリンダ３１の内周面７１に、シリンダ３１に対するピストン６１の移動方向に延在するとともに異なる長さに設定された第一〜第三通流溝８１〜８３を設け、前記シール部材９４で区画された後方側と前方側とを各通流溝８１〜８３を介して連通可能に構成する。【選択図】図４
2010035433.tif 000002
【特許請求の範囲】
【請求項１】
通流路を形成するシリンダと、該シリンダ内に移動自在に設けられたピストンとを備えた散水具の水量調整機構において、
前記ピストンの移動に伴って断面積が変化する通流溝を設けたことを特徴とする散水具の水量調整機構。
【請求項２】
通流路を形成するシリンダと、該シリンダ内に移動自在に設けられたピストンとを備えた散水具の水量調整機構において、
前記ピストンの外周面又は前記シリンダの内周面に、該シリンダに対する前記ピストンの移動方向に延在するとともに流量を調整する為の通流溝を設け、前記ピストンで区画された前記一方側と前記他方側とを前記通流溝を介して連通可能に構成したことを特徴とする散水具の水量調整機構。
【請求項３】
通流路を形成するシリンダと、該シリンダ内に移動自在に設けられたピストンと、該ピストン又は前記シリンダに設けられ該シリンダと前記ピストンとの間に配設されたシール部材とを備え、該シール部材を境とした一方側と他方側とが当該シール部材によってシールされる構造を備えた散水具の水量調整機構において、
前記ピストンの外周面又は前記シリンダの内周面に、該シリンダに対する前記ピストンの移動方向に延在するとともに流量を調整する為の通流溝を設け、前記ピストンで区画された前記一方側と前記他方側とを前記通流溝を介して連通可能に構成したことを特徴とする散水具の水量調整機構。
【請求項４】
前記ピストンの外周面又は前記シリンダの内周面に、該シリンダに対する前記ピストンの移動方向に延在するとともに起点が異なる位置に設定された複数の通流溝を設けたことを特徴とする請求項１、２又は３記載の散水具の水量調整機構。
【請求項５】
前記ピストンの外周面又は前記シリンダの内周面に、該シリンダに対する前記ピストンの移動方向に延在するとともに終点が異なる位置に設定された複数の通流溝を設けたことを特徴とする請求項１〜４にいずれか記載の散水具の水量調整機構。
【請求項６】
前記ピストンの外周面又は前記シリンダの内周面に、該シリンダに対する前記ピストンの移動方向に延在するとともに異なる太さに設定された複数の通流溝を設けたことを特徴とする請求項１から５にいずれか記載の散水具の水量調整機構。
【請求項７】
前記ピストンの外周面又は前記シリンダの内周面に、該シリンダに対する前記ピストンの移動方向に延在するとともに異なる深さに設定された複数の通流溝を設けたことを特徴とする請求項１から６にいずれか記載の散水具の水量調整機構。
【請求項８】
前記ピストンに前記シリンダの内側面に密着するシール部材を設ける一方、前記シリンダの前記内周面に前記通流溝を設けたことを特徴とする請求項１から７にいずれか記載の散水具の水量調整機構。
【発明の詳細な説明】
【技術分野】
【０００１】
本発明は、植木や草花への散水や洗車時などに用いられる散水具の水量調整機構に関する。
【背景技術】
【０００２】
従来、植木や草花へ散水したり洗車をする際には、図９に示すように、散水具８０１が用いられており（例えば、特許文献１参照。）、このような散水具８０１には、散水量を調整する為の水量調整機構が設けられている。
【０００３】
すなわち、この散水具８０１は、ノズル外筒８１１を備えており、シリンダを構成するノズル外筒前部８１２は、基端側より縮径されている。このノズル外筒８１１の内側には、ノズル内筒部８１３が配設されており、該ノズル内筒部８１３の先端部には、ピストンを構成する膨状体８１４が設けられている。該膨状体８１４の外周部には、シール体８１５が設けられており、該シール体８１５は、前記ノズル外筒前部８１２の内周面に密着することで、当該シール体８１５を境とした前方側と後方側とをシールできるように構成されている。
【０００４】
前記ノズル内筒部８１３の基端部には、雄ねじ部８２１が設けられており、この雄ねじ部８２１には、前記ノズル外筒８１１の内周面に形成された雌ねじ部８２２が螺合している。
【０００５】
これにより、前記ノズル内筒部８１３に対して前記ノズル外筒部８１１を回動することによって、該ノズル外筒部８１１を前記ノズル内筒部８１３に対して長さ方向へ移動できるように構成されており、内周面に前記シール体８１５が密着した前記ノズル外筒前部８１２を、前記シール体８１５を備えた前記膨状体８１４より先端側へ相対移動することによって、当該膨状体８１４の外周部に水を通流してノズル噴出口８３１からの水の噴出量を増大できるように構成されている。
【特許文献１】実開昭６０−４９９５０号公報
【発明の開示】
【発明が解決しようとする課題】
【０００６】
しかしながら、このような従来の散水具８０１の水量調整機構にあっては、前記膨状体８１４の外周部に水を通流するか否かの制御しかできなかった。
【０００７】
このため、前記膨状体８１４の外周部に水路を開放すると、大量の水が流れ出してしまういう問題があった。
【０００８】
本発明は、このような従来の課題に鑑みてなされたものであり、少ない水量の通水も可能な散水具の水量調整機構を提供することを目的とするものである。
【課題を解決するための手段】
【０００９】
前記課題を解決するために本発明の請求項１の散水具の水量調整機構にあっては、通流路を形成するシリンダと、該シリンダ内に移動自在に設けられたピストンとを備えた散水具の水量調整機構において、前記ピストンの移動に伴って断面積が変化する通流溝を設けた。
【００１０】
これにより、前記ピストンに移動量に応じて、その通流量を可変することができる。
【００１１】
また、本発明の請求項２の散水具の水量調整機構にあっては、通流路を形成するシリンダと、該シリンダ内に移動自在に設けられたピストンとを備えた散水具の水量調整機構において、前記ピストンの外周面又は前記シリンダの内周面に、該シリンダに対する前記ピストンの移動方向に延在するとともに流量を調整する為の通流溝を設け、前記ピストンで区画された前記一方側と前記他方側とを前記通流溝を介して連通可能に構成した。
【００１２】
すなわち、前記ピストンの外周面又は前記シリンダの内周面には、流量を調整する為の通流溝が形成されており、前記シリンダは前記ピストンに対して相対移動する。
【００１３】
このとき、前記シリンダと前記ピストンとの相対移動によって、該ピストンが前記通流溝に達した際には、この通流溝によって前記ピストンを迂回して当該ピストンの一方側と前記他方側とを連通する通流経路が形成され、前記通流溝を介した通流が開始される。
【００１４】
そして、前記ピストンに移動量に応じて、その通流量を可変することもできる。
【００１５】
また、本発明の請求項３の散水具の水量調整機構にあっては、通流路を形成するシリンダと、該シリンダ内に移動自在に設けられたピストンと、該ピストン又は前記シリンダに設けられ該シリンダと前記ピストンとの間に配設されたシール部材とを備え、該シール部材を境とした一方側と他方側とが当該シール部材によってシールされる構造を備えた散水具の水量調整機構において、前記ピストンの外周面又は前記シリンダの内周面に、該シリンダに対する前記ピストンの移動方向に延在するとともに流量を調整する為の通流溝を設け、前記ピストンで区画された前記一方側と前記他方側とを前記通流溝を介して連通可能に構成した。
【００１６】
すなわち、前記ピストンの外周面又は前記シリンダの内周面には、流量を調整する為の通流溝が形成されており、前記ピストン又は前記シリンダに設けられたシール部材は、前記シリンダ又は前記ピストンに対して相対移動する。
【００１７】
このとき、前記シール部材を境とした一方側と他方側とをシールする当該シール部材が前述した通流溝に達しない状態では、通流路を構成する前記シリンダでの通流が阻止される。
【００１８】
一方、前記シリンダと前記ピストンとの相対移動によって、前記シール部材が前記通流溝に達した際には、この通流溝によって前記ピストンを迂回して当該ピストンの一方側と前記他方側とを連通する通流経路が形成され、前記通流溝を介した通流が開始される。
【００１９】
そして、前記ピストンに移動量に応じて、その通流量を可変することもできる。
【００２０】
さらに、請求項４の散水具の水量調整機構においては、前記ピストンの外周面又は前記シリンダの内周面に、該シリンダに対する前記ピストンの移動方向に延在するとともに起点が異なる位置に設定された複数の通流溝を設けた。
【００２１】
すなわち、前記ピストンの外周面又は前記シリンダの内周面には、起点が異なる位置に設定された通流溝が形成されており、前記ピストン又は前記シリンダに設けられたシール部材は、前記シリンダ又は前記ピストンに対して相対移動する。
【００２２】
このとき、前記シール部材を境とした一方側と他方側とをシールする当該シール部材が前述したいずれの通流溝にも達しない状態では、通流路を構成する前記シリンダでの通流が阻止される。
【００２３】
一方、前記シリンダと前記ピストンとの相対移動によって、前記シール部材が第一の通流溝の起点に達した際には、この第一の通流溝によって前記シール部材を迂回して前記一方側と前記他方側とを連通する通流経路が形成され、前記第一の通流溝を介した通流が開始される。
【００２４】
また、前記シリンダと前記ピストンとの相対移動によって、前記シール部材が第二の通流溝の起点に達した際には、この第二の通流溝によって前記シール部材を迂回して前記一方側と前記他方側とを連通する通流経路がさらに形成され、前記第一の通流溝と前記第二の通流溝とを介した通流が開始される。
【００２５】
さらに複数の通流溝が形成されている場合には、前述と同様に、これらの通流溝を介した通流が開始され、前記通流路を構成する前記シリンダでの通流量が順次増大される。
【００２６】
あるいは、前記ピストンの外周面又は前記シリンダの内周面には、起点がが異なる位置に設定された通流溝が形成されており、前記ピストンは前記シリンダに対して相対移動する。
【００２７】
一方、前記シリンダと前記ピストンとの相対移動によって、該ピストンが第一の通流溝の起点に達した際には、この第一の通流溝によって前記シール部材を迂回して前記一方側と前記他方側とを連通する通流経路が形成され、前記第一の通流溝を介した通流が開始される。
【００２８】
また、前記シリンダと前記ピストンとの相対移動によって、該ピストンが第二の通流溝の起点に達した際には、この第二の通流溝によって前記シール部材を迂回して前記一方側と前記他方側とを連通する通流経路がさらに形成され、前記第一の通流溝と前記第二の通流溝とを介した通流が開始される。
【００２９】
さらに複数の通流溝が形成されている場合には、前述と同様に、これらの通流溝を介した通流が開始され、前記通流路を構成する前記シリンダでの通流量が順次増大される。
【００３０】
また、請求項５の散水具の水量調整機構においては、前記ピストンの外周面又は前記シリンダの内周面に、該シリンダに対する前記ピストンの移動方向に延在するとともに終点が異なる位置に設定された複数の通流溝を設けた。
【００３１】
すなわち、前記ピストンの外周面又は前記シリンダの内周面には、終点が異なる位置に設定された通流溝が形成されており、前記ピストン又は前記シリンダに設けられたシール部材は、前記シリンダ又は前記ピストンに対して相対移動する。
【００３２】
このとき、前記シール部材を境とした一方側と他方側とをシールする当該シール部材が前述したいずれの通流溝にも達しない状態では、通流路を構成する前記シリンダでの通流が阻止される。
【００３３】
一方、前記シリンダと前記ピストンとの相対移動によって、前記シール部材が第一の通流溝の終点に達した際には、この第一の通流溝によって前記シール部材を迂回して前記一方側と前記他方側とを連通する通流経路が形成され、前記第一の通流溝を介した通流が開始される。
【００３４】
また、前記シリンダと前記ピストンとの相対移動によって、前記シール部材が第二の通流溝の終点に達した際には、この第二の通流溝によって前記シール部材を迂回して前記一方側と前記他方側とを連通する通流経路がさらに形成され、前記第一の通流溝と前記第二の通流溝とを介した通流が開始される。
【００３５】
さらに複数の通流溝が形成されている場合には、前述と同様に、これらの通流溝を介した通流が開始され、前記通流路を構成する前記シリンダでの通流量が順次増大される。
【００３６】
あるいは、前記ピストンの外周面又は前記シリンダの内周面には、終点がが異なる位置に設定された通流溝が形成されており、前記ピストンは前記シリンダに対して相対移動する。
【００３７】
一方、前記シリンダと前記ピストンとの相対移動によって、該ピストンが第一の通流溝の終点に達した際には、この第一の通流溝によって前記シール部材を迂回して前記一方側と前記他方側とを連通する通流経路が形成され、前記第一の通流溝を介した通流が開始される。
【００３８】
また、前記シリンダと前記ピストンとの相対移動によって、該ピストンが第二の通流溝の終点に達した際には、この第二の通流溝によって前記シール部材を迂回して前記一方側と前記他方側とを連通する通流経路がさらに形成され、前記第一の通流溝と前記第二の通流溝とを介した通流が開始される。
【００３９】
さらに複数の通流溝が形成されている場合には、前述と同様に、これらの通流溝を介した通流が開始され、前記通流路を構成する前記シリンダでの通流量が順次増大される。
【００４０】
加えて、請求項６の散水具の水量調整機構では、前記ピストンの外周面又は前記シリンダの内周面に、該シリンダに対する前記ピストンの移動方向に延在するとともに異なる太さに設定された複数の通流溝を設けた。
【００４１】
すなわち、前記ピストンの外周面又は前記シリンダの内周面には、太さが異なる通流溝が形成されており、前記ピストン又は前記シリンダに設けられたシール部材は、前記シリンダ又は前記ピストンに対して相対移動する。
【００４２】
このとき、前記シール部材を境とした一方側と他方側とをシールする当該シール部材が前述したいずれの通流溝にも達しない状態では、通流路を構成する前記シリンダでの通流が阻止される。
【００４３】
一方、前記シリンダと前記ピストンとの相対移動によって、前記シール部材が太さの細い第一の通流溝に達した際には、この第一の通流溝によって前記シール部材を迂回して前記一方側と前記他方側とを連通する通流経路が形成され、太さの細い前記第一の通流溝を介した通流が開始される。
【００４４】
また、前記シリンダと前記ピストンとの相対移動によって、前記シール部材が太さの太い第二の通流溝に達した際には、この第二の通流溝によって前記シール部材を迂回して前記一方側と前記他方側とを連通する通流経路が形成され、太さの太い前記第二の通流溝を介した通流が開始される。
【００４５】
さらに複数の通流溝が形成されている場合には、前述と同様に、これらの通流溝を介した通流が開始され、前記通流路を構成する前記シリンダでの通流量が通流溝の太さに応じて増減される。
【００４６】
あるいは、前記ピストンの外周面又は前記シリンダの内周面には、太さが異なる通流溝が形成されており、前記ピストンは、前記シリンダに対して相対移動する。
【００４７】
このとき、前記シリンダと前記ピストンとの相対移動によって、該ピストンが太さの細い第一の通流溝に達した際には、この第一の通流溝によって前記ピストンを迂回して前記一方側と前記他方側とを連通する通流経路が形成され、太さの細い前記第一の通流溝を介した通流が開始される。
【００４８】
また、前記シリンダと前記ピストンとの相対移動によって、前記ピストンが太さの太い第二の通流溝に達した際には、この第二の通流溝によって前記ピストンを迂回して前記一方側と前記他方側とを連通する通流経路が形成され、太さの太い前記第二の通流溝を介した通流が開始される。
【００４９】
さらに複数の通流溝が形成されている場合には、前述と同様に、これらの通流溝を介した通流が開始され、前記通流路を構成する前記シリンダでの通流量が通流溝の太さに応じて増減される。
【００５０】
また、請求項７の散水具の水量調整機構にあっては、前記ピストンの外周面又は前記シリンダの内周面に、該シリンダに対する前記ピストンの移動方向に延在するとともに異なる深さに設定された複数の通流溝を設けた。
【００５１】
すなわち、前記ピストンの外周面又は前記シリンダの内周面には、深さが異なる通流溝が形成されており、前記ピストン又は前記シリンダに設けられたシール部材は、前記シリンダ又は前記ピストンに対して相対移動する。
【００５２】
このとき、前記シール部材を境とした一方側と他方側とをシールする当該シール部材が前述したいずれの通流溝にも達しない状態では、通流路を構成する前記シリンダでの通流が阻止される。
【００５３】
一方、前記シリンダと前記ピストンとの相対移動によって、前記シール部材が深さの浅い第一の通流溝に達した際には、この第一の通流溝によって前記シール部材を迂回して前記一方側と前記他方側とを連通する通流経路が形成され、深さの浅い前記第一の通流溝を介した通流が開始される。
【００５４】
また、前記シリンダと前記ピストンとの相対移動によって、前記シール部材が深さの深い第二の通流溝に達した際には、この第二の通流溝によって前記シール部材を迂回して前記一方側と前記他方側とを連通する通流経路が形成され、深さの深い前記第二の通流溝を介した通流が開始される。
【００５５】
さらに複数の通流溝が形成されている場合には、前述と同様に、これらの通流溝を介した通流が開始され、前記通流路を構成する前記シリンダでの通流量が通流溝の深さに応じて増減される。
【００５６】
あるいは、前記ピストンの外周面又は前記シリンダの内周面には、深さが異なる通流溝が形成されており、前記ピストンは、前記シリンダに対して相対移動する。
【００５７】
このとき、前記シリンダと前記ピストンとの相対移動によって、該ピストンが深さの浅い第一の通流溝に達した際には、この第一の通流溝によって前記ピストンを迂回して前記一方側と前記他方側とを連通する通流経路が形成され、深さの浅い前記第一の通流溝を介した通流が開始される。
【００５８】
また、前記シリンダと前記ピストンとの相対移動によって、前記ピストンが深さが深い第二の通流溝に達した際には、この第二の通流溝によって前記ピストンを迂回して前記一方側と前記他方側とを連通する通流経路が形成され、深さが深い前記第二の通流溝を介した通流が開始される。
【００５９】
さらに複数の通流溝が形成されている場合には、前述と同様に、これらの通流溝を介した通流が開始され、前記通流路を構成する前記シリンダでの通流量が通流溝の深さに応じて増減される。
【００６０】
さらに、請求項８の散水具の水量調整機構においては、前記ピストンに前記シリンダの内側面に密着するシール部材を設ける一方、前記シリンダの前記内周面に前記通流溝を設けた。
【００６１】
すなわち、Ｏリング等で構成されるシール部材は、前記ピストン側に設けられており、前記シリンダの前記内周面に前記各通流溝が設けられている。
【００６２】
このため、前記シリンダの内周面にＯリング等のシール部材を設ける場合と比較して、構造の簡素化が図られる。
【発明の効果】
【００６３】
以上説明したように、本発明の請求項１の散水具の水量調整機構にあっては、前記ピストンに移動量に応じて、その通流量を可変することができる。
【００６４】
したがって、通流と止水の制御しかできなかった従来と比較して、少ない水量の通水も可能となり、利便性が向上する。
【００６５】
また、本発明の請求項２の散水具の水量調整機構にあっては、前記シリンダと前記ピストンとを相対移動する際に、該ピストンが通流溝に到達した時点から、前記通流溝に応じた通流を開始することができる。
【００６６】
したがって、通流と止水の制御しかできなかった従来と比較して、少ない水量の通水も可能となり、利便性が向上する。
【００６７】
また、細かい水量調整も可能となる。
【００６８】
また、本発明の請求項３の散水具の水量調整機構にあっては、前記シリンダと前記ピストンとを相対移動する際に、前記シール部材が前記通流溝に到達した時点から、前記通流溝に応じた通流を開始することができる。
【００６９】
したがって、通流と止水の制御しかできなかった従来と比較して、少ない水量の通水も可能となり、利便性が向上する。
【００７０】
また、前記シール部材が前記通流溝に達する前段階では、前記シリンダが構成する通流路での通流を阻止することができる。
【００７１】
さらに、請求項４の散水具の水量調整機構においては、前記シリンダと前記ピストンとを相対移動する際に、前記シール部材が起点が異なる通流溝に到達した時点から、前記シリンダが構成する通流路での通流量を順次増大することができる。
【００７２】
したがって、通流と止水の制御しかできなかった従来と比較して、水量の細かい調整が可能となり、利便性が向上する。
【００７３】
あるいは、前記シリンダと前記ピストンとを相対移動する際に、該ピストンが起点が異なる通流溝に到達した時点から、前記シリンダが構成する通流路での通流量を順次増大することができる。
【００７４】
したがって、通流と止水の制御しかできなかった従来と比較して、細かい水量の調整が可能となり、利便性が向上する。
【００７５】
さらに、請求項５の散水具の水量調整機構においては、前記シリンダと前記ピストンとを相対移動する際に、前記シール部材が終点が異なる通流溝に到達した時点から、前記シリンダが構成する通流路での通流量を順次増大することができる。
【００７６】
したがって、通流と止水の制御しかできなかった従来と比較して、水量の細かい調整が可能となり、利便性が向上する。
【００７７】
あるいは、前記シリンダと前記ピストンとを相対移動する際に、該ピストンが終点が異なる通流溝に到達した時点から、前記シリンダが構成する通流路での通流量を順次増大することができる。
【００７８】
したがって、通流と止水の制御しかできなかった従来と比較して、細かい水量の調整が可能となり、利便性が向上する。
【００７９】
加えて、請求項６の散水具の水量調整機構では、前記シリンダと前記ピストンとを相対移動する際に、前記シール部材が太さの異なる通流溝に到達した時点から、前記シリンダが構成する通流路での通流量を太さに応じて増大することができる。
【００８０】
したがって、通流と止水の制御しかできなかった従来と比較して、水量の調整が可能となり、利便性が向上する。
【００８１】
あるいは、前記シリンダと前記ピストンとを相対移動する際に、該ピストンが太さの異なる通流溝に到達した時点から、前記シリンダが構成する通流路での通流量を太さに応じて増大することができる。
【００８２】
したがって、通流と止水の制御しかできなかった従来と比較して、水量の調整が可能となり、利便性が向上する。
【００８３】
また、請求項７の散水具の水量調整機構にあっては、前記シリンダと前記ピストンとを相対移動する際に、前記シール部材が深さの異なる通流溝に到達した時点から、前記シリンダが構成する通流路での通流量を深さに応じて増大することができる。
【００８４】
したがって、通流と止水の制御しかできなかった従来と比較して、水量の調整が可能となり、利便性が向上する。
【００８５】
あるいは、前記シリンダと前記ピストンとを相対移動する際に、該ピストンが深さの異なる通流溝に到達した時点から、前記シリンダが構成する通流路での通流量を深さに応じて増大することができる。
【００８６】
したがって、通流と止水の制御しかできなかった従来と比較して、水量の調整が可能となり、利便性が向上する。
【００８７】
さらに、請求項８の散水具の水量調整機構においては、Ｏリング等で構成されるシール部材を前記ピストン側に設け、前記シリンダの前記内周面に前記各通流溝が設けることによって、散水具の水量調整機構が構成されている。
【００８８】
このため、前記シリンダの内周面にＯリング等のシール部材を設ける場合と比較して、構造の簡素化を図ることができ、製造コストの低減を図ることができる。
【発明を実施するための最良の形態】
【００８９】
（第一の実施の形態）
【００９０】
以下、本発明の第一の実施の形態を図に従って説明する。
【００９１】
図１から図５は、本実施の形態にかかる水量調整機構を備えた散水具１を示す図であり、該散水具１は、植木や草花へ散水したり洗車をする際に用いられるものである。
【００９２】
この散水具１の散水具本体１１には、握持用のハンドル１２が設けられており、該ハンドル１２の上端部には、前端方向へ向けて延出した延出部１３が一体形成されている。
【００９３】
前記ハンドル１２の基端部には、給水用のホースが接続されるホース接続部２１が設けられており、該ホース接続部２１に接続されたホースから供給された水道水が、当該ハンドル１２内に形成された流路を通って前記延出部１３内に供給されるように構成されている。
【００９４】
前記延出部１３の先端部は、図３に、その一部を示したように、円筒状のシリンダ３１を構成しており、該シリンダ３１の先端部には、取付部が一体形成されている（図示省略）。この取付部には、図１及び図２に示したように、散水ヘッド３２がねじ込みによって取り付けられており、そのねじ込み量によって、その取付位置を長さ方向に変位できる構成されている。
【００９５】
前記散水ヘッド３２の先端部は、前方開口状の円筒状に形成されており、この先端部には、図２に示すように、散水板４１が固定リングによって固定された状態でカバー４１ａで覆われている。前記散水板４１の中央には、円形穴４２が形成されており、該円形穴４２より外側には、複数の小孔４３，・・・が設けられている。
【００９６】
また、図１に示したように、前記散水具本体１１には、レバー５１が回動自在に軸支されており、このレバー５１を前記ハンドル１２と共に握持して握ることによって、前記レバー５１を操作できるように構成されている。
【００９７】
前記延出部１３の先端部に形成された前記シリンダ内には、図４及び図５に示したように、前記ハンドル１２から供給された水道水の供給量を制御するピストン６１が収容されており、水量調整機構６２が構成されている。
【００９８】
なお、図４及び図５では、水道水が図中左側から入力され、右側から出力される場合を例に挙げて説明したが、これに限定されるものではない。
【００９９】
すなわち、水道水が図中右側から入力され、左側から出力されるように構成しても良い。
【０１００】
このピストン６１は、長さ方向へ移動自在に設けられており、当該ピストン６１の後端部は、前記レバー５１に接続されている。これにより、このレバー５１を前記ハンドル１２と共に握持して操作することによって、当該レバー５１に接続された前記ピストン６１を前端方向へ移動し、前記水道水を前記シリンダ３１が構成する通流路６３内を通流できるように構成されている。
【０１０１】
この通流路６３を形成する前記シリンダ３１の内周面７１には、図３から図５に示すように、第一通流溝８１と、第二通流溝８２と、第三通流溝８３とが凹設されており、各通流溝８１〜８３は、当該シリンダ３１の長さ方向に直線状に延設されている。
【０１０２】
ここで、本実施の形態では、前記第一通流溝８１と、前記第二通流溝８２と、前記第三通流溝８３とを凹設した場合に付いて説明するが、この溝数に限定されるものではない。
【０１０３】
この溝数は、前記シリンダ３１の太さや寸法によって適宜定められ、７本から１０本等であっても良い。
【０１０４】
前記第一通流溝８１の長さ寸法は、前記第二通流溝８２の長さ寸法より長く設定されており、該第二通流溝８２は、前記第三通流溝８３より長く設定されている。前記各通流溝８１〜８３は、等間隔をおいて並設されており、各通流溝８１〜８３は、その先端が前記長さ方向同位置に設定されている。
【０１０５】
これにより、前記第一通流溝８１の起点又は終点である後端は、前記第二通流溝８２より後方へ達しており、該第二通流溝８２の起点又は終点である後端は、前記第三通流溝８３の起点又は終点である後端より後方に達するように構成されている。
【０１０６】
このシリンダ３１内に配設された前記ピストン６１は、図４に示したように、長さ方向に延在する軸部９１と、該軸部９１の先端に設けられた大径の頭部９２とによって構成されており、該頭部９２には、凹溝９３が周面に沿って形成されている。この凹溝９３内には、Ｏリングで構成されたシール部材９４が嵌着固定されており、当該シール部材９４は、前記シリンダ３１の前記内周面７１に密着するように構成されている。
【０１０７】
これにより、このシール部材９４は、前記ピストン６１と前記シリンダ３１の前記内周面７１との間に配設された状態で両者に密着するように構成されており、当該シール部材９４を境とした一方側である後方側と他方側である前方側とが当該シール部材９４によってシールされるように構成されている。
【０１０８】
そして、前記レバー５１を操作して前記ピストン６１を前端方向へ移動することで、当該ピストン６１に設けられた前記シール部材９４がいずれかの通流溝８１〜８３に達した際には、前記ハンドル１２を介して前記シール部材９４の一方側である後方側まで達した水道水は、当該通流溝８１〜８３を経由して前記シール部材９４を境とした他方側である前方側へ通流するように構成されている。
【０１０９】
以上の構成にかかる本実施の形態において、前記シリンダ３１の内周面７１には、起点又は終点の異なる第一〜第三通流溝８１〜８３が形成されており、前記ピストン６１に設けられたシール部材９４は、前記シリンダ３１に対して相対的に移動する。
【０１１０】
このとき、図４の（ａ）に示したように、前記シール部材９４を境とした後方側と前方側とをシールする当該シール部材９４が前述したいずれの通流溝８１〜８３にも達しない状態では、前記通流路６３を構成する前記シリンダ３１での通流を阻止することができる。
【０１１１】
一方、図４の（ｂ）に示したように、前記レバー５１で前記ピストン６１を前端方向へ移動することで、前記シリンダ３１に対して前記ピストン６１を前端側へ移動し、前記シール部材９４が第一通流溝８１の起点又は終点である後端に達した際には、前記内周面７１に凹設された前記第一通流溝８１によって、前記シール部材９４を境とする前記後方側と前記前方側との間に第一の通流経路を形成することができる。
【０１１２】
これにより、前記シール部材９４より後方側に達した水道水を、前記第一通流溝８１を経由して前記シール部材９４より前方側へ通流し、前記散水ヘッド３２から散水することができる。
【０１１３】
また、図５の（ａ）に示したように、前記レバー５１を操作して前記ピストン６１を前端方向へ移動することで、前記シリンダ３１に対して前記ピストン６１をさらに前端側へ移動し、前記シール部材９４が第二通流溝８２の起点又は終点である後端に達した際には、前記内周面７１に凹設された前記第二通流溝８２によって、前記シール部材９４を境とする前記後方側と前記前方側との間に第二の通流経路を形成することができる。
【０１１４】
これにより、前記シール部材９４より後方側に達した水道水を、前記第二通流溝８２を経由して、前記シール部材９４より前方側へ通流することができ、前記第一通流溝８１と前記第二通流溝８２とを経由した水道水を前記散水ヘッド３２から散水することができる。
【０１１５】
そして、図５の（ｂ）に示したように、前記レバー５１を操作して前記ピストン６１を前端方向へ移動することで、前記シリンダ３１に対して前記ピストン６１をさらに前端側へ移動し、前記シール部材９４が第三通流溝８３の起点又は終点である後端に達した際には、前記内周面７１に凹設された前記第三通流溝８３によって、前記シール部材９４を境とする前記後方側と前記前方側との間に第三の通流経路を形成することができる。
【０１１６】
これにより、前記シール部材９４より後方側に達した水道水を、前記第三通流溝８３を経由して、前記シール部材９４より前方側へ通流することができ、前記第一通流溝８１と前記第二通流溝８２前記第三通流溝８３とを経由した水道水を前記散水ヘッド３２から散水することができる。
【０１１７】
このように、本実施の形態にあっては、前記シリンダ３１に対して前記ピストン６１を相対移動することによって、該ピストン６１に設けられたシール部材９４が起点又は終点の異なる前記各通流溝８１〜８３に到達した時点から、当該シリンダ３１が構成する通流路６３での通流量を開始するとともに、前記ピストン６１の移動量に応じて、その通流量をデジタル式に順次増大することができる。
【０１１８】
したがって、通流と止水の制御しかできなかった従来と比較して、少ない水量の通水も可能となり、利便性が向上するとともに、通流と止水の制御しかできなかった従来の散水具と比較して、水量の細かい調整が可能となる。
【０１１９】
また、本実施の形態では、Ｏリングからなる前記シール部材９４を、前記ピストン６１側に設けるとともに、前記シリンダ３１の前記内周面７１に前記各通流溝８１〜８３を設けることによって、当該散水具１の水量調整機構６２が構成されている。
【０１２０】
このため、前記シリンダ３１の内周面７１にＯリングからなる前記シール部材９４を設ける場合と比較して、構造の簡素化を図ることができ、製造コストの低減を図ることができる。
【０１２１】
【０１２２】
（第二の実施の形態）
【０１２３】
図６から図８は、第二の実施の形態の散水具１０１の要部を示す図であり、第一の実施の形態と同一又は同等部分に付いては、同符号を付して説明を割愛し、異なる部分に付いてのみ説明する。
【０１２４】
図６は、シリンダ１１１を示す図であり、本実施の形態の散水具のシリンダ１１１では、図中下方に延出した供給路１１２からの水道水が、当該シリンダ１１１内を図中左方へ通流した後、図中上方へ延出した出力路１１３から出力されるように構成されている。
【０１２５】
すなわち、このシリンダ１１１内には、図７及び図８に示したように、ピストン１２１が収容されており、該ピストン１２１は、基端側に設けられたコイルスプリング１２２によって先端方向へ向けて付勢されている。このピストン１２１の先端には、押圧部材１２３が当接しており、当該押圧部材１２３が作動することによって、図７から図８に示したように、前記ピストン１２１を基端側へ移動されるうように構成されている。
【０１２６】
これにより、前記供給路１１２から供給された水道水の供給量を制御する水量調整機構１３１が構成されている。
【０１２７】
前記ピストン１２１の先端部には、シリンダ１１１の内周面１４１に密着するＯリング１４２が嵌着されており、当該ピストン１２１の基端部には、Ｏリングで構成されたシール部材１４３が嵌着されている。このシール部材１４３が密着する前記シリンダ１１１の基端側の前記内周面１４１には、第一通流溝１５１と、第二通流溝１５２と、第三通流溝１５３とが凹設されており、前記各通流溝１５１〜１５３は、当該シリンダ１１１の長さ方向に直線状に延設されている。
【０１２８】
前記第一通流溝１５１の長さ寸法は、前記第二通流溝１５２の長さ寸法より長く設定されており、該第二通流溝１５２の長さ寸法は、前記第三通流溝１５３の長さ寸法より長く設定されている。該第三通流溝１５３は、前記第一通流溝１５１及び前記第二通流溝１５２より深く形成されている。
【０１２９】
ここで、本実施の形態では、第三通流溝１５３を、前記第一通流溝１５１及び前記第二通流溝１５２より深く形成した場合に付いて説明したが、これに限定されるものではない。
【０１３０】
すなわち、前記第三通流溝１５３の太さを、前記第一通流溝１５１及び前記第二通流溝１５２より太く形成しても良い。
【０１３１】
さらには、前記第三通流溝１５３の太さと、前記第一通流溝１５１の太さと、前記第二通流溝１５２の太さとを、それぞれ異なる太さに形成しても良い。
【０１３２】
また、前記各通流溝１５１〜１５３は、三角形や四角形など異なる断面形状に形成して断面積が可変するように構成しても良い。
【０１３３】
前記各通流溝１５１〜１５３は、図６に示したように、等間隔をおいて並設されており、各通流溝１５１〜１５３は、その基端が前記長さ方向同位置に設定されている。前記第一通流溝１５１の起点又は終点である先端は、図７及び図８に示したように、前記第二通流溝１５２の起点又は終点である先端より前方に達しており、該第二通流溝１５２の起点又は終点である先端は、前記第三通流溝１５３の起点又は終点である先端より前方に達している。
【０１３４】
これにより、前記ピストン１２１が前記コイルスプリング１２２で付勢され前方へ移動した状態では、前記シール部材１４３が前記シリンダ１１１の内周面１４１に密着することで、該シール部材１４３を境とした一方側である基端側と他方側である先端側とを当該シール部材１４３でシールし、当該シリンダ１１１が構成する通流路１６１での通流を阻止できるように構成されている。
【０１３５】
一方、前記押圧部材１２３で前記ピストン１２１を基端側へ移動することで、前記シリンダ１１１に対して前記ピストン１２１を基端側へ移動し、前記シール部材１４３が第一通流溝１５１の起点又は終点である先端に達した際には、前記内周面１４１に凹設された前記第一通流溝１５１によって、前記シール部材１４３を境とする前記基端側と前記先端側との間に第一の通流経路を形成できるように構成されている。
【０１３６】
これにより、前記シール部材１４３より基端側に達した水道水を、前記第一通流溝１５１を経由して前記シール部材１４３より先端側へ通流し、前記出力路１１３から前記散水ヘッド３２へ供給して散水できるように構成されている（図１及び図２参照）。
【０１３７】
また、図７に示したように、前記押圧部材１２３で前記ピストン１２１を基端側へ移動することで、前記シリンダ１１１に対して前記ピストン１２１をさらに基端側へ移動し、前記シール部材１４３が前記第二通流溝１５２の起点又は終点である先端に達した際には、前記内周面１４１に凹設された前記第二通流溝１５２によって、前記シール部材１４３を境とする前記基端側と前記先端側との間に第二の通流経路を形成できるように構成されている。
【０１３８】
これにより、前記シール部材１４３より基端側に達した水道水を、前記第二通流溝１５２を経由して、前記シール部材１４３より先端側へ通流することができ、前記第一通流溝１５１と当該第二通流溝１５２とを経由した水道水を、前記出力路１１３から前記散水ヘッド３２へ供給して散水できるように構成されている（図１及び図２参照）。
【０１３９】
さらに、図８に示したように、前記押圧部材１２３で前記ピストン１２１を基端側へ移動することで、前記シリンダ１１１に対して前記ピストン１２１をさらに基端側へ移動し、前記シール部材１４３が前記第三通流溝１５３の起点又は終点である先端に達した際には、前記内周面１４１に凹設された前記第三通流溝１５３によって、前記シール部材１４３を境とする前記基端側と前記先端側との間に第三の通流経路を形成できるように構成されている。
【０１４０】
これにより、前記シール部材１４３より基端側に達した水道水を、前記第三通流溝１５３を経由して、当該シール部材１４３より先端側へ通流することができ、前記第一通流溝１５１と前記第二通流溝１５２と当該第三通流溝１５３とを経由した水道水を、前記出力路１１３から前記散水ヘッド３２へ供給して散水できるように構成されている（図１及び図２参照）。
【０１４１】
以上の構成においても、第一の実施の形態と同様の効果を得ることができる。
【０１４２】
ここで、本実施の形態では、第三通流溝１５３を、前記第一通流溝１５１及び前記第二通流溝１５２より深く形成したので、前記シール部材１４３が前記第三通流溝１５３に到達した時点から、通流量をその深さに応じて増大することができる。
【０１４３】
これにより、水量の調整が可能となり、利便性が向上する。
【０１４４】
また、前記第三通流溝１５３の太さと、前記第一通流溝１５１の太さと、前記第二通流溝１５２の太さとを、それぞれ異なる太さに形成すれば、前記シール部材１４３が前記各通流溝１５１〜１５３に到達した時点から、通流量をその太さに応じて増大することができる。
【０１４５】
また、前記通流溝１５１〜１５３の断面形状を、例えば三角形や四角形Ｕ字形状など異なる形状に形成することによって、断面積が変化するように構成しても良い。
【０１４６】
なお、前記各実施の形態では、前記シール部材９４，１４３を前記ピストン６１，１２１側に設けるとともに、前記シリンダ３１，１１１の前記内周面７１，１４１に前記各通流溝８１〜８３、１５１〜１５３を設けた場合について説明したが、これに限定されるものではなく、前記シリンダ３１，１１１側に前記シール部材９４，１４３を設け、前記ピストン６１，１２１の外周面２０１に前記各通流溝８１〜８３、１５１〜１５３を設けても良い。
【図面の簡単な説明】
【０１４７】
【図１】本発明の第一の実施の形態を示す図である。
【図２】図１のＡ矢視図である。
【図３】同実施の形態の要部を示す要部の断面図である。
【図４】（ａ）は、同実施の形態の動作を示す説明図であり、（ｂ）は、同図（ａ）に続く動作を示す説明図である。
【図５】（ａ）は、図４の（ａ）に続く動作を示す説明図であり、（ｂ）は、同図（ａ）に続く動作を示す説明図である。
【図６】本発明の第二の実施の形態を示す図である。
【図７】同実施の形態の動作を示す説明図である。
【図８】図７に続く動作を示す説明図である。
【図９】従来例を示す図である。
【符号の説明】
【０１４８】
１    散水具
３１    シリンダ
６１    ピストン
６２    水量調節機構
６３    通流路
７１    内周面
８１    第一通流溝
８２    第二通流溝
８３    第三通流溝
９４    シール部材
１０１    散水具
１１１    シリンダ
１２１    ピストン
１３１    水量調節機構
１４１    内周面
１４３    シール部材
１５１    第一通流溝
１５２    第二通流溝
１５３    第三通流溝
１６１    通流路
２０１    外周面
【図１】
2010035433.tif 000003
【図２】
2010035433.tif 000004
【図３】
2010035433.tif 000005
【図４】
2010035433.tif 000006
【図５】
2010035433.tif 000007
【図６】
2010035433.tif 000008
【図７】
2010035433.tif 000009
【図８】
2010035433.tif 000010
【図９】
2010035433.tif 000011